(57)【要約】【課題】表示部に対する電源供給を停止するまでの残り時間を視聴者に確実に伝達し得るテレビを提供する。【解決手段】予め指定された時点で表示部２３に対する電源供給を停止する主制御部３１を備え、主制御部３１は、指定された時点までの残り時間が所定時間に達したときから指定された時点までの間において残り時間を表す画像を所定の更新間隔で更新させつつ表示部２３に継続して表示させる。これにより、電源供給を停止するまでの残り時間が視聴者に確実に伝達される。【選択図】図１
2005318253.tif 000002
【特許請求の範囲】
【請求項１】
予め指定された時点で表示部に対する電源供給を停止する制御部を備え、
前記制御部は、前記指定された時点までの残り時間が所定時間に達したときから当該指定された時点までの間において前記残り時間を表す画像を所定の更新間隔で更新させつつ前記表示部に継続して表示させるテレビ。
【請求項２】
前記所定時間は複数の時間帯に分割され、前記更新間隔は、前記時間帯毎にそれぞれ異なる長さに規定され、かつ前記指定された時点に近い時間帯ほど短く設定されている請求項１記載のテレビ。
【請求項３】
前記所定時間、前記時間帯および前記更新間隔の１つ以上を設定する操作部を備えている請求項２記載のテレビ。
【請求項４】
前記画像は、文字、図形および記号の１つ以上で構成されている請求項１から３のいずれかに記載のテレビ。
【請求項５】
前記制御部は、前記画像を更新させるときに、所定の音声情報を音響出力部から出力させる請求項１から４のいずれかに記載のテレビ。
【請求項６】
前記制御部は、前記残り時間を報知する疑似音声を前記所定の音声情報として前記音響出力部から出力させる請求項５記載のテレビ。
【発明の詳細な説明】
【技術分野】
【０００１】
本発明は、予め指定された時点で表示部に対する電源供給を停止する機能を備えたテレビに関するものである。
【背景技術】
【０００２】
この種のテレビとして、電源のオフ時間をタイマ設定することができるオフタイマ機能を備えたテレビジョン受像機（本明細書では、「テレビ」ともいう）が特開平５−２２６７４号公報に開示されている。このテレビでは、電源のオフ時間までのタイマ残量時間が所定時間（７０分、６０分、４５分、３０分、１５分および０分）に達する毎に、そのタイマ残量時間を表す数字画像が所定の短い時間（５秒）だけ画面の隅部に表示される。このため、このテレビによれば、電源オフまでのタイマ残量時間を視聴者に予告することが可能となっている。
【特許文献１】特開平５−２２６７４号公報（第３頁、第２−３図）
【発明の開示】
【発明が解決しようとする課題】
【０００３】
ところが、この従来のテレビには、以下の問題点がある。すなわち、このテレビでは、タイマ残量時間が所定時間に達したときに、タイマ残量時間を表示している。しかしながら、このテレビでは、その表示時間が短いため、例えば、視聴者が、テレビの視聴に専念しているときやテレビ画面から暫く視線を外していたときには、表示されたタイマ残量時間を見落としてしまうことがある。したがって、このテレビには、電源オフまでのタイマ残量時間の視聴者への未伝達に起因して、突然の電源のオフで視聴者を戸惑わせるおそれがあるという問題点が存在する。
【０００４】
本発明は、かかる問題点に鑑みてなされたものであり、表示部に対する電源供給を停止するまでの残り時間を視聴者に確実に伝達し得るテレビを提供することを主目的とする。
【課題を解決するための手段】
【０００５】
上記目的を達成すべく本発明に係るテレビは、予め指定された時点で表示部に対する電源供給を停止する制御部を備え、前記制御部は、前記指定された時点までの残り時間が所定時間に達したときから当該指定された時点までの間において前記残り時間を表す画像を所定の更新間隔で更新させつつ前記表示部に継続して表示させる。
【０００６】
このテレビによれば、制御部が、指定された時点までの残り時間が所定時間に達したときからその指定された時点までの間において残り時間を表す画像を表示部に継続して表示させることにより、残り時間を短時間表示するだけの従来のテレビとは異なり、視聴者がテレビの視聴に専念していたり、テレビ画面から暫く視線を外したりしたとしても、残り時間を表す画像を視聴者に確実に視認させることができるため、表示部に対する電源の供給を停止するまでの残り時間を視聴者に確実に伝達することができる。したがって、電源供給を停止する際に視聴者が戸惑う事態を確実に防止することができる。
【０００７】
また、本発明に係るテレビは、上記のテレビにおいて、前記所定時間は複数の時間帯に分割され、前記更新間隔は、前記時間帯毎にそれぞれ異なる長さに規定され、かつ前記指定された時点に近い時間帯ほど短く設定されている。
【０００８】
このテレビによれば、指定された時点に近い時間帯ほど更新間隔を短く設定したことにより、残り時間が少なくなるに従ってきめ細やかに残り時間を表す画像を更新することができるため、視聴者に残り時間を表す画像を確実に注目させることができる。したがって、電源供給を停止するまでの残り時間を視聴者により確実に伝達することができる。
【０００９】
また、本発明に係るテレビは、上記のテレビにおいて、前記所定時間、前記時間帯および前記更新間隔の１つ以上を設定する操作部を備えている。
【００１０】
このテレビによれば、所定時間、時間帯および更新間隔の１つ以上を設定する操作部を備えたことにより、視聴者の好みに応じた態様で残り時間を表す画像を表示させることができる。
【００１１】
また、本発明に係るテレビは、上記のテレビにおいて、前記残り時間を表す画像は、文字、図形および記号の１つ以上で構成されている。
【００１２】
このテレビによれば、文字、図形および記号の１つ以上で残り時間を表す画像を構成したことにより、指定された時点までの残り時間を視聴者に直感的に認識させることができるため、残り時間をさらに確実に伝達することができる。
【００１３】
さらに、本発明に係るテレビは、上記のテレビにおいて、前記制御部は、前記残り時間を表す画像を更新させるときに、所定の音声情報を音響出力部から出力させる。
【００１４】
このテレビによれば、制御部が、残り時間を表す画像を更新させるときに、所定の音声情報を音響出力部から出力させることにより、残り時間を表す画像が更新表示されたことを視聴者の聴覚を介して確実に認識させることができる。
【００１５】
さらに、本発明に係るテレビは、上記のテレビにおいて、前記制御部は、前記所定の音声情報として、残り時間を報知する疑似音声を前記音響出力部から出力させる。
【００１６】
このテレビによれば、制御部が、残り時間を報知する疑似音声を所定の音声情報として音響出力部から出力させることにより、表示部に対する電源供給を停止するまでの残り時間を視聴者の聴覚を介して確実に伝達することができる。
【発明を実施するための最良の形態】
【００１７】
以下、本発明に係るテレビの最良の形態について、添付図面を参照して説明する。図１に示すテレビ１は、本発明に係るテレビの一例であって、リアプロジェクション方式で本体部２に備えられた表示部２３に配設されたスクリーンパネル６２に画像を表示可能に構成されている。また、テレビ１は、予め指定（設定）された時点で画像の表示（表示部２３に対する電源供給）を停止するオフタイマ機能を備えている。具体的には、テレビ１は、本体部２、制御ユニット３、電源部４およびリモコン５を備えて構成されている。
【００１８】
本体部２は、図１に示すように、チューナ２１、表示制御部２２、表示部２３、音響制御部２４および音響出力部２５を備えて構成されている。チューナ２１は、リモコン５の操作によって指定されたチャンネルの画像データＤｇおよび音響データＤｓを図外のアンテナを介して受信した放送信号Ｓｂから抽出して制御ユニット３に出力する。表示制御部２２は、制御ユニット３によって転送された画像データＤｇに基づいて、例えば、図２に示すテレビ画像Ｐｔを表示させるための表示用画像信号Ｓｅを生成して表示部２３に出力する。表示部２３は、図１に示すように、光学エンジン６１およびスクリーンパネル６２を備えている。光学エンジン６１は、表示制御部２２から出力された表示用画像信号Ｓｅに基づいて変調した投射光Ｌを射出する。具体的には、光学エンジン６１は、例えば、光源と、光源からの光を画像表示可能な投射光Ｌに変調する変調手段（一例として、透過型液晶パネルを備えた液晶ライトバルブ）と、投射光Ｌを拡大する投射レンズ（いずれも図示せず）とを備えて構成されている。スクリーンパネル６２は、光学エンジン６１から射出されて図外の反射ミラーによって反射された投射光Ｌを受光して拡散または略平行光に変換することにより、各種画像を表示する。音響制御部２４は、制御ユニット３によって転送された音響データＤｓに基づいて音響信号Ｓｓを生成して音響出力部２５に出力する。音響出力部２５は、例えば、アンプおよびスピーカを備えて構成されて、音響制御部２４から出力された音響信号Ｓｓに基づく音声を出力する。
【００１９】
制御ユニット３は、主制御部３１、入力処理部３２、ＲＡＭ３３およびＲＯＭ３４を備えている。主制御部３１は、本発明における制御部に相当し、チューナ２１から出力された画像データＤｇおよび音響データＤｓを表示制御部２２および音響制御部２４にそれぞれ転送する。また、主制御部３１は、入力処理部３２から出力された操作信号Ｓｏに従って本体部２および電源部４を制御する。この場合、主制御部３１は、タイマ表示設定を指示する操作信号Ｓｏが出力されたときには、後述するタイマ表示設定処理を実行する。また、主制御部３１は、オフタイマのカウント開始を指示する操作信号Ｓｏが出力されたときには、図５に示すオフタイマ処理８０を実行する。入力処理部３２は、リモコン５から出力された赤外線信号Ｓｉを光電変換して操作信号Ｓｏを出力する。ＲＡＭ３３は、タイマ表示設定処理によって設定された総表示時間Ｔｓ０、時間帯Ｔｓ１〜Ｔｓ３および更新間隔Ｔｄ１〜Ｔｄ３（これらについては後述する）についてのタイマ表示情報Ｄｔを記憶する。ＲＯＭ３４は、タイマ表示設定処理の際に用いる設定用画像Ｐｓ（図３参照）を表示させるための画像データＤｇ、オフタイマ処理８０において残り時間画像Ｐｄ（本発明における残り時間を表す画像。図２参照）を表示させるための画像データＤｇ、およびオフタイマ処理８０において音声情報を出力させるための音響データＤｓなどを記憶する。
【００２０】
電源部４は、電源回路４１およびスイッチ４２を備えている。電源回路４１は、スイッチ４２を介して本体部２に電源を供給する。また、電源回路４１は、図外のメイン電源スイッチが投入されている状態では、制御ユニット３に電源を常時供給する。スイッチ４２は、主制御部３１から制御信号Ｓｃが出力されているときには、オン状態に制御されて電源を本体部２に供給し、制御信号Ｓｃの出力が停止されているときには、その供給を停止する。
【００２１】
リモコン５は、本発明における操作部に相当し、図２に示すように、電源ボタン７１ａ、タイマ表示設定ボタン７１ｂ、上ボタン７１ｃ、下ボタン７１ｄ、左ボタン７１ｅ、右ボタン７１ｆ、オフタイマボタン７１ｇおよび選局ボタン７１ｈ，７１ｈ・・などの各種操作ボタンが配列されて構成され、これらの操作ボタンが操作されたときに、各操作ボタンに対応する赤外線信号Ｓｉを出力する。
【００２２】
次に、テレビ１の全体的な動作について、図面を参照して説明する。このテレビ１では、図外のメイン電源スイッチが投入されている状態では、制御ユニット３に電源が常時供給されている。この状態において、リモコン５の電源ボタン７１ａが操作されたときには、リモコン５が電源ボタン７１ａに対応する赤外線信号Ｓｉを出力し、制御ユニット３の入力処理部３２が赤外線信号Ｓｉを光電変換して操作信号Ｓｏを出力する。次に、図１に示すように、制御ユニット３の主制御部３１が、操作信号Ｓｏに従ってスイッチ４２に制御信号Ｓｃを出力する。これに応じて、スイッチ４２がオン状態に制御され、本体部２に電源回路４１から電源が供給されて本体部２が作動する。
【００２３】
次いで、本体部２のチューナ２１が、例えば、電源が直前に切断されたときに選局されていたチャンネルの画像データＤｇおよび音響データＤｓを図外のアンテナを介して受信した放送信号Ｓｂから抽出して出力する。続いて、主制御部３１は、チューナ２１から出力された画像データＤｇおよび音響データＤｓを本体部２の表示制御部２２および音響制御部２４にそれぞれ転送する。次に、表示制御部２２が、画像データＤｇに基づいて表示用画像信号Ｓｅを生成して表示部２３の光学エンジン６１に出力する。これに応じて、光学エンジン６１が表示用画像信号Ｓｅに基づいて変調した投射光Ｌを射出する。これにより、スクリーンパネル６２に投射光Ｌが投射されて、図２に示すように、テレビ画像Ｐｔが表示される。また、音響制御部２４が音響データＤｓに基づいて音響信号Ｓｓを生成して出力することにより、音響信号Ｓｓに基づく音声が音響出力部２５から出力される。次いで、リモコン５の選局ボタン７１ｈが操作されたときには、主制御部３１は、その選局ボタン７１ｈに対応するチャンネルの画像データＤｇおよび音響データＤｓをチューナ２１に抽出させる。続いて、主制御部３１が画像データＤｇおよび音響データＤｓを表示制御部２２および音響制御部２４にそれぞれ転送することにより、操作された選局ボタン７１ｈに対応するチャンネルのテレビ画像Ｐｔが表示されると共に、そのチャンネルの音声が出力される。
【００２４】
一方、オフタイマ機能を用いて、例えば、所望時間の経過後にテレビ画像Ｐｔの表示を停止させる際、つまり、本体部２（表示部２３）に対する電源供給を停止させる際には、まず、リモコン５のオフタイマボタン７１ｇを操作する。これに応じて、リモコン５がオフタイマボタン７１ｇに対応する赤外線信号Ｓｉを出力し、入力処理部３２がタイマ表示設定を指示する操作信号Ｓｏを出力する。次いで、制御ユニット３の主制御部３１が、図２に示す残り時間画像Ｐｄを表示させるための画像データＤｇ（以下、「残り時間画像Ｐｄ用の画像データＤｇ」ともいう）をＲＯＭ３４から読み出して、チューナ２１から出力された画像データＤｇ（以下、「テレビ画像Ｐｔ用の画像データＤｇ」ともいう）と共に表示制御部２２に出力する。続いて、表示制御部２２が、両画像データＤｇ，Ｄｇに基づく表示用画像信号Ｓｅを出力することにより、同図に示すように、テレビ画像Ｐｔと残り時間画像Ｐｄとを重ね合わせた画像がスクリーンパネル６２に表示される。ここで、このテレビ１では、本体部２（表示部２３）に対する電源供給を停止させるまでの残り時間が初期状態において例えば６０分に設定されている。このため、同図に示すように、初期状態では、「６０分」の文字で構成された残り時間画像Ｐｄが表示される。この場合、リモコン５の上ボタン７１ｃまたは下ボタン７１ｄを操作することにより、残り時間を例えば１０分刻みで任意に変更することもできる。
【００２５】
次に、リモコン５のタイマ表示設定ボタン７１ｂを操作してタイマ表示設定を行う。この際には、リモコン５がタイマ表示設定ボタン７１ｂに対応する赤外線信号Ｓｉを出力し、入力処理部３２がタイマ表示設定を指示する操作信号Ｓｏを出力する。次いで、主制御部３１が操作信号Ｓｏに従ってタイマ表示設定処理を実行する。このタイマ表示設定処理では、主制御部３１は、図３に示す設定用画像Ｐｓを表示させるための画像データＤｇをＲＯＭ３４から読み出して表示制御部２２に出力する。続いて、表示制御部２２が、画像データＤｇに基づく表示用画像信号Ｓｅを出力することにより、同図に示すように、テレビ画像Ｐｔおよび残り時間画像Ｐｄに代えて、設定用画像Ｐｓがスクリーンパネル６２に表示される。
【００２６】
ここで、このテレビ１では、後述するオフタイマ処理８０において残り時間画像Ｐｄを表示させる総表示時間Ｔｓ０（本発明における所定時間）が例えば１０分に予め設定されている。また、総表示時間Ｔｓ０は、電源の供給を停止する停止時点の１０分前から５分前までを第１の時間帯Ｔｓ１として、５分前から１分前までを第２の時間帯Ｔｓ２として、かつ１分前から停止時点までを第３の時間帯Ｔｓ３とする３つの時間帯に分割されている。さらに、残り時間画像Ｐｄを更新表示する更新間隔が、時間帯Ｔｓ１では１分（以下、この更新間隔を「更新間隔Ｔｄ１」ともいう）に、時間帯Ｔｓ２では３０秒（以下、この更新間隔を「更新間隔Ｔｄ２」ともいう）に、かつ時間帯Ｔｓ３では１０秒（以下、この更新間隔を「更新間隔Ｔｄ３」ともいう）にそれぞれ設定されている。したがって、初期状態の設定用画像Ｐｓ内には、同図に示すように、総表示時間Ｔｓ０、各時間帯Ｔｓ１〜Ｔｓ３（以下、区別しないときには「時間帯Ｔｓ」ともいう）および各更新間隔Ｔｄ１〜Ｔｄ３（以下、区別しないときには「更新間隔Ｔｄ」ともいう）を示す上記の各時間が表示される。この場合、リモコン５の上ボタン７１ｃ、下ボタン７１ｄ、左ボタン７１ｅおよび右ボタン７１ｆを操作して設定用画像Ｐｓ内でカーソルを移動させて、選局ボタン７１ｈを数字ボタンとして用いて操作することにより、総表示時間Ｔｓ０、各時間帯Ｔｓ１〜Ｔｓ３および各更新間隔Ｔｄ１〜Ｔｄ３をそれぞれ任意に変更することもできる。
【００２７】
次いで、タイマ表示設定を終了する際には、タイマ表示設定ボタン７１ｂを再度操作する。これに応じて、主制御部３１が残り時間画像Ｐｄ用の画像データＤｇおよびテレビ画像Ｐｔ用の画像データＤｇを表示制御部２２に出力することにより、設定用画像Ｐｓに代えて、テレビ画像Ｐｔおよび残り時間画像Ｐｄが表示される。また、主制御部３１は、総表示時間Ｔｓ０、各時間帯Ｔｓ１〜Ｔｓ３および各更新間隔Ｔｄ１〜Ｔｄ３についてのタイマ表示情報Ｄｔを生成してＲＡＭ３３に記憶させる。この場合、この例では、上記した初期状態の総表示時間Ｔｓ０、各時間帯Ｔｓ１〜Ｔｓ３および各更新間隔Ｔｄ１〜Ｔｄ３についてのタイマ表示情報Ｄｔを記憶させたものとする。
【００２８】
続いて、上記したリモコン５のオフタイマボタン７１ｇを再度操作する。これに応じて、主制御部３１が、残り時間画像Ｐｄの表示を停止してテレビ画像Ｐｔのみを表示させると共に、図５に示すオフタイマ処理８０を実行する。このオフタイマ処理８０では、主制御部３１は、まず、タイマ表示情報ＤｔをＲＡＭ３３から読み出す（ステップ８１）。次に、主制御部３１は、内部タイマによるカウントダウンを開始する（ステップ８２）。次いで、主制御部３１は、本体部２に対する電源供給を停止させるまでの残り時間Ｔ０（カウントダウンの値）が時間帯Ｔｓ１（この例では、１０分）に達したか否かを判別する（ステップ８３）。この場合、主制御部３１は、残り時間Ｔ０が時間帯Ｔｓ１に達していないときには、ステップ８３を繰り返して実行する。一方、残り時間Ｔ０が時間帯Ｔｓ１に達したときには、主制御部３１は、残り時間画像Ｐｄ用の画像データＤｇを出力することにより、図４に示すように、残り時間Ｔ０を表す残り時間画像Ｐｄ（この例では、同図に示す「１０分」の文字画像）をテレビ画像Ｐｔに重ね合わせて表示させる。また、主制御部３１は、ＲＯＭ３４から読み出した音響データＤｓを音響制御部２４に出力することにより、残り時間Ｔ０を報知する音声情報（この例では、「残り１０分です」の疑似音声）を音響出力部２５から出力させる（ステップ８４）。
【００２９】
次に、主制御部３１は、残り時間Ｔ０が１０分に達した時点から更新間隔Ｔｄ１（この例では、１分）だけ時間が経過したか否かを判別する（ステップ８５）。この際に、更新間隔Ｔｄ１を経過していないときには、主制御部３１は、ステップ８５を繰り返して実行する。一方、更新間隔Ｔｄ１（１分）を経過したときには、主制御部３１は、画像データＤｇを更新して出力すると共に音響データＤｓを出力することにより（ステップ８６）、既に表示させている残り時間画像Ｐｄに代えて、その時点における残り時間Ｔ０（この例では、９分）を表す残り時間画像Ｐｄを表示させると共に、残り時間Ｔ０を報知する疑似音声を出力させる。続いて、主制御部３１は、残り時間Ｔ０が時間帯Ｔｓ２（この例では、５分）に達したか否かを判別する（ステップ８７）。この際に、残り時間Ｔ０が時間帯Ｔｓ２に達していないときには、主制御部３１は、ステップ８５〜８７を繰り返して実行する。したがって、主制御部３１は、残り時間Ｔ０が８分、７分、６分および５分に達した時点で、各残り時間Ｔ０をそれぞれ表す残り時間画像Ｐｄを更新して表示させる。また、主制御部３１は、残り時間画像Ｐｄの更新毎に残り時間Ｔ０を報知する疑似音声を出力させる。
【００３０】
次に、ステップ８７において残り時間Ｔ０が時間帯Ｔｓ２に達したときには、主制御部３１は、残り時間画像Ｐｄを直前に更新表示させた時点（この例では、残り時間Ｔ０が５分に達した時点）から更新間隔Ｔｄ２（３０秒）だけ時間が経過したか否かを判別する（ステップ８８）。この場合、主制御部３１は、更新間隔Ｔｄ２を経過していないときには、ステップ８８を繰り返して実行し、更新間隔Ｔｄ２を経過したときには、画像データＤｇを更新して出力すると共に音響データＤｓを出力することにより（ステップ８９）、その時点における残り時間Ｔ０（この例では、４分３０秒）を表す残り時間画像Ｐｄを更新して表示させると共に残り時間Ｔ０を報知する疑似音声を出力させる。続いて、主制御部３１は、残り時間Ｔ０が時間帯Ｔｓ３（この例では、１分）に達したか否かを判別する（ステップ９０）。この際に、残り時間Ｔ０が時間帯Ｔｓ３に達していないときには、主制御部３１は、ステップ８８〜９０を繰り返して実行する。したがって、主制御部３１は、残り時間Ｔ０が１分になるまで、各残り時間Ｔ０をそれぞれ表す残り時間画像Ｐｄを３０秒毎に更新表示させる。また、主制御部３１は、残り時間画像Ｐｄの更新毎に残り時間Ｔ０を報知する疑似音声を出力させる。
【００３１】
次に、ステップ９０において残り時間Ｔ０が時間帯Ｔｓ３（この例では、１分）に達したときには、主制御部３１は、残り時間画像Ｐｄを直前に更新させた時点（この例では、残り時間Ｔ０が１分に達した時点）から更新間隔Ｔｄ３（この例では、１０秒）だけ時間が経過したか否かを判別する（ステップ９１）。この場合、主制御部３１は、更新間隔Ｔｄ３を経過していないときにはステップ９１を繰り返して実行し、更新間隔Ｔｄ３を経過したときには、残り時間Ｔ０がゼロになったか否かを判別する（ステップ９２）。この際に、残り時間Ｔ０がゼロになっていないときには、主制御部３１は、その時点における残り時間Ｔ０（この例では、５０秒）を表す残り時間画像Ｐｄを表示させる画像データＤｇ、および残り時間Ｔ０を報知する疑似音声を出力させる音響データＤｓを出力した後に（ステップ９３）、ステップ９１〜９３を実行する。したがって、主制御部３１は、残り時間Ｔ０が０になるまで、各残り時間Ｔ０をそれぞれ表す残り時間画像Ｐｄを１０秒毎に更新表示させる。また、主制御部３１は、残り時間画像Ｐｄの更新毎に残り時間Ｔ０を報知する疑似音声を出力させる。
【００３２】
次に、ステップ９２において、残り時間Ｔ０がゼロになったとき、つまり、停止時間に達したときには、主制御部３１は、スイッチ４２に対する制御信号Ｓｃの出力を停止して（ステップ９４）、このオフタイマ処理８０を終了する。これにより、本体部２に対する電源部４からの電源供給が停止されて、表示部２３におけるテレビ画像Ｐｔの表示が停止される。
【００３３】
このように、このテレビ１によれば、主制御部３１が、残り時間Ｔ０が総表示時間Ｔｓ０に達したときから表示部２３に対する電源の停止時点までの間において残り時間画像Ｐｄを継続して表示させることにより、残り時間を短い時間だけ表示する従来のテレビとは異なり、視聴者がテレビ１の視聴に専念していたり、テレビ１の画面から暫く視線を外したりしたとしても、残り時間画像Ｐｄを視聴者に確実に視認させて伝達することができる。したがって、電源供給を停止する際に視聴者を戸惑わせる事態を確実に防止することができる。
【００３４】
また、表示部２３に対する電源の供給を停止する停止時点に近い時間帯Ｔｓほど更新間隔Ｔｄを短く設定したことにより、残り時間Ｔ０が少なくなるに従って残り時間画像Ｐｄをきめ細やかに更新させることができるため、視聴者に残り時間画像Ｐｄを確実に注目させることができる。したがって、残り時間Ｔ０を視聴者により確実に伝達することができる。
【００３５】
また、総表示時間Ｔｓ０、時間帯Ｔｓおよび更新間隔Ｔｄを設定可能なリモコン５を備えたことにより、視聴者の好みに応じた態様で残り時間画像Ｐｄを表示させることができる。さらに、文字で残り時間画像Ｐｄを構成したことにより、残り時間Ｔ０を視覚的に直接認識させることができるため、視聴者に残り時間Ｔ０をさらに確実に伝達することができる。また、主制御部３１が、残り時間画像Ｐｄを更新させるときに、残り時間Ｔ０を表す疑似音声を音響出力部２５から出力させることにより、残り時間Ｔ０を視聴者の聴覚を介して確実に伝達することができる。
【００３６】
なお、本発明は、上記の構成に限定されない。例えば、残り時間Ｔ０を文字を用いて表示する構成例について上記したが、例えば、図６に示す残り時間画像Ｐｄ１〜Ｐｄ３のように、砂時計の図形やバーグラフの図形などの各種図形や各種記号を用いて残り時間Ｔ０を表示する構成を採用することもできる。また、例えば、同図に示す残り時間画像Ｐｄ４のように、文字、図形および記号を２種類以上組み合わせて用いる構成を採用することもできる。また、総表示時間Ｔｓ０を３つの時間帯Ｔｓ１〜Ｔｓ３に分割した例について上記したが、分割数は適宜変更することができる。また、残り時間Ｔ０を報知する疑似音声を残り時間画像Ｐｄの更新毎に出力する例について上記したが、疑似音声の出力タイミングは、任意に変更することができる。さらに、疑似音声で代えて電子チャイム音（アラーム音）を出力する構成を採用することもできる。さらに、リアプロジェクション方式でスクリーンパネル６２に画像を表示する表示部２３を備えたテレビ１を例に挙げて説明したが、本発明における表示部には、液晶パネル、プラズマディスプレイおよびＣＲＴなどの各種の表示手段が含まれる。また、チューナ２１によって受信された放送信号Ｓｂに基づくテレビ画像Ｐｔを表示する例について上記したが、例えば、ＶＴＲ、ＤＶＤ再生装置およびハードディスクレコーダ等の各種の外部装置から入力した画像データ（画像信号）に基づく画像を表示するテレビに本発明を適用することもできる。
【図面の簡単な説明】
【００３７】
【図１】テレビ１の構成を示すブロック図である。
【図２】テレビ１の正面図である。
【図３】設定用画像Ｐｓの表示画面図である。
【図４】テレビ画像Ｐｔおよび残り時間画像Ｐｄを表示するスクリーンパネル６２の表示画面図である。
【図５】オフタイマ処理８０のフローチャートである。
【図６】残り時間画像Ｐｄ１〜Ｐｄ４の表示画面図である。
【符号の説明】
【００３８】
１  テレビ、５  リモコン、２３  表示部、３１  主制御部、Ｐｄ，Ｐｄ１〜Ｐｄ４  残り時間画像、Ｔ０  残り時間、Ｔｓ０  総表示時間、Ｔｄ１〜Ｔｄ３  更新間隔、Ｔｓ１〜Ｔｓ３  時間帯
【図１】
2005318253.tif 000003
【図２】
2005318253.tif 000004
【図３】
2005318253.tif 000005
【図４】
2005318253.tif 000006
【図５】
2005318253.tif 000007
【図６】
2005318253.tif 000008